(57)【要約】      （修正有）【課題】従来技術の欠点を克服したカラーホイール組立体を提供する。【解決手段】カラーホイール組立体は、キャリア１０、キャリア１０と同軸方向に取り付けられ、複数の環状に配置されたフィルター部分２１により形成されるカラーフィルター組立体２０、それぞれフィルター部分２１に接続される複数の環状に配置された制御片５１を含む接続部５０、及び制御片５１を受け取る制限溝５２を含む。各制御片５１は、両側の第１及び第２半径方向端面５１３、５１４を有し、内面５１１及び外面５１２は、半径方向端面５１３、５１４を相互接続し、内面５１１から外方へ向かって延び、通路５１７が、内面及び外面５１１、５１２の間を延び、そして、半径方向端面５１３、５１４の間を延びている。プレスカバー３０は、フィルター部分２１をキャリア１０に押し付けるように接続されている。【選択図】図４
2006301600.tif 000002
【特許請求の範囲】
【請求項１】
カラーホイール組立体であって、
軸について回転可能なキャリア（１０）と、
該キャリア（１０）に同軸に取り付けられており、複数の環状に配置されたフィルター部分（２１）によって形成されているカラーフィルター組立体（２０）と、
前記キャリア（１０）に前記フィルター部分（２１）を押し付けるように、前記キャリア（１０）に接続されているプレスカバー（３０）と、
それぞれの前記フィルター部分（２１）に接続された複数の環状に配置された制御片（５１）、キャリア（１０）に備えられた制限溝（５２）、前記制御片（５１）を受け取るための前記プレスカバー（３０）を有している接続部（５０）と、
を有しており、
前記各制御片（５１）は、両側の第１半径方向端面（５１３）及び第２半径方向端面（５１４）を有しており、内面（５１１）が、前記第１半径方向端面（５１３）及び第２半径方向端面（５１４）を相互接続しており、外面（５１２）が、前記第１半径方向端面（５１３）及び第２半径方向端面（５１４）を相互接続し、前記内面（５１１）から外方へ向かって延び、前記内面（５１１）及び外面（５１２）の間を通り、前記第１半径方向端面（５１３）及び第２半径方向端面（５１４）に延びる通路（５１７）を有していることを特徴とするカラーホイール組立体。
【請求項２】
前記フィルター部分（２１）が、内周面（２１４）、内周面（２１４）の周りから延びる外周面（２１３）、及び前記内周面（２１４）及び外周面（２１３）の間から延びる上面（２１１）及び底面（２１２）を有しており、前記フィルター部分（２１）の内周面（２１４）が、協働して前記カラーフィルター組立体（２０）の中央穴（２２）を特徴付けることを特徴とする請求項１記載のカラーホイール組立体。
【請求項３】
前記制御片（５１）が、それぞれ、さらに、前記フィルター部分（２１）と隣接した上面（５１５）及び前記キャリア（１０）に隣接した底面（５１６）を有しており、前記制御片（５１）の通路（５１７）が、それぞれ、前記制御片（５１）の前記上面（５１５）に形成されており、前記接続部（５０）は、さらに前記制御片（５１）の前記上面（５１５）を前記フィルター部分（２１）の前記底面（２１２）を接続するために、それぞれの通路（５１７）に複数の接着要素（５３）が配置されていることを特徴とする請求項２記載のカラーホイール組立体。
【請求項４】
前記キャリア（１０）が、上面（１１）有し、前記制限溝は、環状で、制御片（５１）を受け取るために、前記キャリア（１０）の前記上面（１１）に形成されていることを特徴とする請求項３記載のカラーホイール組立体。
【請求項５】
前記プレスカバー（３０）を前記キャリア（１０）に固定するための複数の留めを有することをさらに特徴とする請求項１記載のカラーホイール組立体。
【請求項６】
前記プレスカバー（３０）及び前記カラーフィルター組立体（２０）の間にパッキンリング（４０）が固定されていることをさらに特徴とする請求項１記載のカラーホイール組立体。
【請求項７】
前記制御片（５１）の一つの通路（５１７）にカウンターウェイト要素（７０）が配置されていることをさらに特徴とする請求項１記載のカラーホイール組立体。
【請求項８】
カラーホイール組立体であって、
軸について回転可能であり、前記軸を囲う環状溝（５２）が形成されているキャリア（１０）と、
キャリア（１０）の同軸上に取り付けられている複数のフィルター部分（２１）であり、当該フィルター部分（２１）が、前記軸に隣接した内周面及び前記軸から遠位に外周面を有していることと、
前記内周面（２１４）に隣接している前記フィルター部分（２１）にそれぞれ接続されている複数の環状に配置された制御片（５１）であり、当該制御片は、それぞれのフィルター部分（２１）のひとつに接続されている上面（５１５）、及び前記上面（５１５）に形成された通路（５１７）を有し、及び
前記フィルター部分（２１）を前記キャリア（１０）に押し付けるための、キャリア（１０）に接続されたプレスカバー（３０）を有していることを特徴とするカラーホイール組立体。
【請求項９】
前記制御片（５１）を前記フィルター部分（２１）に接続するための複数の接着要素（５３）を有することをさらに特徴とする請求項８記載のカラーホイール組立体。
【請求項１０】
前記接着要素（５３）が、それぞれ、前記制御片（５１）の通路（５１７）に挿入されることを特徴とする請求項９記載のカラーホイール組立体。
【請求項１１】
複数の留め具、前記フィルター部分（２１）の内周面（２１４）が協働して中央穴（２２）を特徴付け、前記留め具が、前記プレスカバー（３０）及び前記中央穴（２２）を貫通し、前記プレスカバー（３０）を前記キャリア（１０）に固定するために、前記キャリア（１０）と噛み合わせることをさらに特徴とする請求項８記載のカラーホイール組立体。
【請求項１２】
前記プレスカバー（３０）及び前記フィルター部分（２１）の間にパッキンリング（４０）を固定することをさらに特徴とする請求項８記載のカラーホイール組立体。
【請求項１３】
各前記制御片（５１）がさらに、前記上面（５１５）とは対象にある底面（５１６）、上面及び底面（５１５、５１６）を相互接続している両側の第１及び第２半径方向端面（５１３、５１４）、第１及び第２半径方向端面（５１３、５１４）及び前記上面及び底面（５１５、５１６）を相互接続している内面（５１１）及び第１及び第２半径方向端面（５１３、５１４）及び前記上面及び底面（５１５、５１６）を相互接続している外面（５１２）有しており、前記通路（５１７）が、前記上面（５１１）及び前記第１及び第２半径方向端面（５１３、５１４）を通って内部に延びていることを特徴とする請求項８記載のカラーホイール組立体。
【請求項１４】
前記制御片（５１）の一つの通路（５１７）にカウンターウェイト要素（７０）が配置されていることをさらに特徴とする請求項８記載のカラーホイール組立体。
【発明の詳細な説明】
【技術分野】
【０００１】
本発明はカラーホイール組立体に関する。より詳細には、組立時に望ましくない接着剤のあふれ出を防ぎ、また、回転の不安定さを簡単に調節することのできるカラーホイール組立体に関する。
【背景技術】
【０００２】
図１に関して、特許文献１によって開示されているカラーホイール組立体が表されており、モータ１、モータ１のシャフトに取り付けられたキャリア２、キャリア２を被覆する接着層３、接着層３に接着された３つの扇形フィルター部分４が結合し、環状に形成されており、及びキャリア２上のフィルター部分４の接合領域を覆う環状部５を含んでいる。モータ１がキャリア２の駆動及びフィルター部分４を高回転で駆動させるとき、光源（図示せず）から投影されたビームは、フィルター部分４を通過することができ、それによって、スクリーン（図示せず）に像を作り出すことができる。
【０００３】
従来のカラーホイール組立体は、その目的を果たすことができるが、以下の欠点を有している。
【０００４】
１．不安定さを補うために、従来技術においては、カラーホイール組立体は、キャリア２に平衡穴２０１が設けられている。しかしながら、平衡穴２０１のボーリングは困難である。なぜなら、キャリア２を支持しているモータ１のベアリングへのダメージが起こらないような適切な力が加えられなければならないからである。さらに、平衡穴２０１をボーリングする際に生成される金属の削りくずが分散する傾向があり、よって被覆されたフィルター部分４の表面を傷付けてしまう。
【０００５】
２．組立時、フィルター部分４は、キャリア２に接合されているため、単一のフィルター部分４に破損又は瑕疵がある場合、従来技術のカラーホイール組立体は全部廃棄されなければならない。なぜなら、従来技術のカラーホイール組立体は、構成部分の一部取り替えが不可能だったからである。結果的に、構成部分が廃棄されるだけでなく、全体的な製造費用も間接的に増加してしまう。
【０００６】
図２及び３に関して、特許文献２によって開示されている別のカラーホイール組立体が表されており、モータ６、モータ６のシャフトに取り付けられた、環状溝７０１を有するキャリア７、複数の扇形フィルター部分８、及び環状溝７０１に取り付けられたパッキンリング９を含んでいる。組立時、単体を形成するために、平衡がとれた後、パッキンリング９が、まずフィルター部分８に接合される。最後に、パッキンリング９は、環状溝７０１に取り付けられる。
【０００７】
従来技術のカラーホイール組立体のいかなる不平衡も最小限にすることができるが、従来技術のカラーホイール組立体は以下の欠点を有している。
【０００８】
１．パッキンリング９の上面がフィルター部分８に接着されるとき、余分な接着材がフィルター部分８の底面に滞りやすい。これによって、光源（図示せず）から投射される光ビームを妨害する結果となってしまう。
【０００９】
２．この従来技術のカラーホイール組立体も同様に構成部分の一部取り替えが不可能である。なぜなら、フィルター部分８は、パッキンリング９に接着固定されているからである。よって、一方のフィルター部分８に破損又は瑕疵がある場合には、フィルター部分８及びパッキンリング９の組立体全部を取り替えなければならない。
【００１０】
３．組みたて後も、モータ６によって不平衡が起こる場合がある。しかしながら、組立後の不平衡の修正は困難である。
【特許文献１】米国特許第５，８６８，４８２号
【特許文献２】米国特許第６，７１５，８８７号
【発明の開示】
【発明が解決しようとする課題】
【００１１】
よって、本発明の目的は、上記の従来技術の欠点を克服したカラーホイール組立体を提供することである。
【課題を解決するための手段】
【００１２】
本発明の一つの特徴に従えば、カラーホイール組立体は、軸周囲を回転可能なキャリア、カラーフィルター組立体、接続部、及びプレスカバーを含んでいる。カラーフィルター組立体は、キャリアと同軸方向に取り付けられており、且つ複数の環状に配置されたフィルター部分によって形成されている。プレスカバーは、フィルター部分をキャリアに押し付けるように、キャリアに接続されている。接続部は、それぞれのフィルター部分に接続された複数の環状に配置された制御片、及び一方のキャリアに備えられた制限溝、及び制御片を受け取るためのプレスカバーを含んでいる。各制御片は、両側の第１及び第２半径方向端面を有しており、内面は、第１及び第２半径方向端面を相互接続しており、外面は、第１及び第２半径方向端面を相互接続し、内面から外方へ向かって延びている。そして、内面及び外面の間を通り、第１及び第２半径方向端面に延びる通路を有している。
【００１３】
本発明のもう一つの特徴に従えば、カラーフィルター組立体は、キャリア、複数の環状配置されたフィルター部分、複数の環状に配置された制御片、及びプレスカバーを含んでいる。キャリアは、軸周囲を回転可能であり、軸を囲う環状溝が形成されている。フィルター部分は、キャリアの同軸上に取り付けられており、軸に隣接した内周面及び軸から遠位に外周面を有している。制御片は、内周面に隣接したフィルター部分にそれぞれ接続されている。各制御片は、上部が対応する単一のフィルター部分及び上部に形成された通路に接続される。プレスカバーは、フィルター部分をキャリアに押し付けるように、キャリアに接続されている。
【発明を実施するための最良の形態】
【００１４】
本発明のその他の特徴及び利点は、以下の添付の図面を参照しながら、好ましい実施例の具体的な説明によって明らかとなる。
【実施例】
【００１５】
図４〜７に関して、本発明に従った、カラーホイール組立体の好ましい実施例においては、ロータリシャフト１１０及びロータリハブ１２０を含むモータ１００に取り付けられているよう構成されている。本実施例のカラーホイール組立体は、キャリア１０、カラーフィルター組立体２０、プレスカバー３０、パッキンリング４０、接続部５０、複数の留め具６０及びカウンターウェイト要素７０を含んでいる。
【００１６】
キャリア１０は、モータ１００のロータリシャフト１１０及びロータリハブ１２０に取り付けられており、軸周囲を回転するようにモータ１００によって駆動されている。キャリア１０は上面１１を有しており、中央隆起１２が上面１１から軸方向上方へ延びている。そして、周壁１３が、上面１１の外周面から軸方向上方へ突出している。中央隆起１２は、大きな直径部１２１及び大きな直径部１２１上に小さな直径部１２２を有している。
【００１７】
カラーフィルター組立体２０は、キャリア１０と同軸に取り付けられており、複数の環状に配置されたフィルター部分２１によって形成されている。各フィルター部分２１は、内周面２１４、内周面２１４の周りから延びる外周面２１３、及び内周面２１４及び外周面２１３の間から延びる上面２１１及び底面２１２を有している。フィルター部分２１の内周面２１４は、協働してカラーフィルター組立体２０の中央穴２２を特徴付ける。
【００１８】
プレスカバー３０は、円形板状に形成され、ぞれぞれの留め具又はボルト６０の延長のための３つの角度で測った間隙を介した貫通孔３１が形成される。プレスカバー３０は、フィルター部分２１をキャリア１０に押し付けるように、キャリア１０に接続されている。
【００１９】
パッキンリング４０は、プレスカバー３０の底面及びフィルター部分２１の上面２１１の間で圧縮される。
【００２０】
接続部５０は、複数の環状に配置された制御片５１、制限溝５２、及び複数の接着要素５３を含んでいる。制御片５１は、それぞれフィルター部分２１に接続されている。各制御片５１は、両側の第１半径方向端面５１３及び第２半径方向端面５１４を有しており、内面５１１は、第１半径方向端面５１３及び第２半径方向端面５１４を相互接続しており、外面５１２は、第１半径方向端面５１３及び第２半径方向端面５１４を相互接続し、内面５１１から外方へ向かって延び、上面５１５及び底面５１６が、内面５１１及び外面５１２の間及び第１半径方向端面５１３及び第２半径方向端面５１４の間を延びている。そして、内面５１１及び外面５１２の間を通り、第１半径方向端面５１３及び第２半径方向端面５１４に延びる通路５１７を有している。接着要素５３が、それぞれの制御片５１の通路５１７に配置されたとき、制御片５１の上面５１５は、それぞれ中央穴２２に隣接したフィルター部分２１の底面２１２に接着される。それによって、制御片５１及びフィルター部分２１は単一部分へと形成される。
【００２１】
制限溝５２は環状であり、そしてキャリア１０の上面１１に形成されている。中央隆起１２の大きな直径部１２１は、キャリア１０の周壁１３と協働し、それらの間に制限溝５２を特徴付ける。
【００２２】
この実施例では、留め具は、ボルト６０の形をしており、プレスカバー３０をキャリア１０に留めるのに使用される。
【００２３】
カラーホイール組立体を組み立てるには、フィルター部分２１がキャリア１０上に支持されるように、まず、制御片５１が制限溝５２に配置される。その後に、プレスカバー３０及びパッキンリング４０が、カラーフィルター組立体２０に取り付けられる。その後、ボルト６０が、カラーフィルター組立体２０のプレスカバー３０、パッキンリング４０、及び中央穴２２のそれぞれの貫通孔３１を貫通し、キャリア１０の中央隆起１２にあるねじ穴にそれぞれ糸を通したようにはめ込まれる。このようにして、プレスカバー３０、パッキンリング４０、及びカラーフィルター組立体２０は、キャリア１０にきつく押し付けられ、そして、制御片５１は、制限溝５２にしっかりと押し付けられる。この時点で、フィルター部分２１の上面２１１は、中央隆起１２の小さな直径部１２２の上面とぴったり重なる。
【００２４】
モータ１００が駆動されたとき、ロータリハブ１２０及びロータリシャフト１１０を介して、キャリア１０及びフィルター組立体２０は、高速で回転される。それによって、スクリーン（図示せず）に画像を生成するために、光源（図示せず）から投射された光ビームが、フィルター部分２１を通過することができる。
【００２５】
図６及び７を特に参照すると、本実施例のカラーフィルター組立体の平衡度を機能させるには、キャリア１０から組立体のフィルター部分２１の一つ及びそれに対応する制御片５１の取り外しを可能にするよう、まずボルト６０が緩められる。その後に、カウンターウェイト要素７０が、第１半径方向端面５１３又は第２半径方向端面５１４から始まる通路５１７の適切な位置に挿入される。その後、フィルター部分２１の組立体及びそれに対応した制御片５１は、キャリア１０に戻され、そして、ボルト６０が締められる。カウンターウェイト要素７０は、接着素材又は粘土を使用し、形成されていてもよい。
【００２６】
上記の説明から、本発明のカラーホイール組立体の利点は、以下のように要約できる。
【００２７】
１．接着要素５３は、対応する制御片５１の通路５１７に配置され、そこでのみ動くように制限される。よって、接着要素５３は、フィルター部分２１の底面２１２に滞ることがなく、光源（図示せず）から投射される光ビームを妨害しない。
【００２８】
２．本発明のカラーホイール組立体の平衡度は簡単に実施できる。キャリア１０から組立体のフィルター部分２１の一つ及びそれに対応する制御片５１を取り外し、その後、取り外した組立体の通路５１７にカウンターウェイト要素７０が挿入される。よって、上記の従来のカラーホイール組立体のように、組立後にキャリア２０に平衡穴をくりぬく必要がなく、よって、ボーリング工程によって引き起こされる問題を排除することができる。さらに、カウンターウェイト要素７０は、フィルター部分２１の組立体及びそれに対応した制御片５１にある通路５１７に配置されているため、組立体の全体の構造を変えることはなく、そして、カラーホイール組立体の回転時に生成される遠心力によって離れたりしない。
【００２９】
３．単一のフィルター部分２１に破損又は瑕疵がある場合、ボルト６０を緩めることで、それを取り外すことができる。本発明は、部品の部分的な取り替えを可能とするため、本発明の全体的な製造費用を最小限にとどめることができる。
【００３０】
本発明の制御片５１は、それぞれフィルター部分２１の底面２１２に一体的に形成されていてもよいということに留意されたい。さらに、各制御片５１の通路５１７は、対応する制御片５１の底面５１６に備えられていてもよい。このような場合、制御片５１は、それぞれ、接着要素５３を介してフィルター部分２１の上面２１１に接着されている。そして、制限溝５２は、プレスカバー３０の底面に備えられている。上記の利点は、同様に得ることができる。
【００３１】
本発明は、最も実際的且つ好ましい実施例と関連づけて説明されているが、本発明は、開示されている実施例に限定されるものではなく、最も広い解釈における範囲の精神に含まれる様々な改良にわたり、そのような改良及び同等のアレンジを網羅するよう意図されていることを理解されたい。
【図面の簡単な説明】
【００３２】
【図１】特許文献１によって開示されている従来のカラーホイール組立体の部分断面図である。
【図２】特許文献２によって開示されている従来のカラーホイール組立体の分解斜視図である。
【図３】図２の従来のカラーホイール組立体の部分断面図である。
【図４】本発明に従った、カラーホイール組立体の好ましい実施例の分解斜視図である。
【図５】好ましい実施例における組み立てた状態の部分断面図である。
【図６】好ましい実施例におけるフィルター部分及び制御片の組立体の拡大斜視図である。
【図７】図６の概略的平面図である。
【符号の説明】
【００３３】
１０  キャリア
１１  上面
１２  中央隆起
１３  周壁
２０  カラーフィルター組立体
２１  フィルター部分
２２  中央穴
３０  プレスカバー
３１  貫通孔
４０  パッキンリング
５０  接続部
５１  制御片
５２  制限溝
５３  接着要素
６０  留め具、ボルト
７０  カウンターウェイト要素
１００  モータ
１１０  ロータリシャフト
１２０  ロータリハブ
１２１  大きな直径部
１２２  小さな直径部
２１１  上面
２１２  底面
２１３  外周面
２１４  内周面
５１１  内面
５１２  上面
５１３  第1半径方向端面
５１４  第２半径方向端面
５１５  上面
５１６  底面
５１７  通路
【図１】
2006301600.tif 000003
【図２】
2006301600.tif 000004
【図３】
2006301600.tif 000005
【図４】
2006301600.tif 000006
【図５】
2006301600.tif 000007
【図６】
2006301600.tif 000008
【図７】
2006301600.tif 000009